(57)【要約】【課題】好適な撮影を実現し得る撮影装置を提供すること。【解決手段】撮影光学系のフォーカスを調整し、フォーカスが合った領域に対応するフォーカス領域信号を出力するフォーカス調整部６と、フォーカス調整部６によりフォーカスが調整された撮影光学系による画像を撮像する撮像部２と、フォーカス領域信号を用いて、画像の前記フォーカスが合った領域のブレを検出するブレ検出部７とを有する。【選択図】図１
2010061012.tif 000002
【特許請求の範囲】
【請求項１】
撮影光学系のフォーカスを調整し、フォーカスが合った領域に対応するフォーカス領域信号を出力するフォーカス調整部と、
前記フォーカス調整部によりフォーカスが調整された前記撮影光学系による画像を撮像する撮像部と、
前記フォーカス領域信号を用いて、前記画像の前記フォーカスが合った領域のブレを検出するブレ検出部とを有することを特徴とする撮影装置。
【請求項２】
請求項１に記載された撮影装置であって、
前記撮像部が連写により複数枚の前記画像を撮像する連写モードで動作しているとき、前記ブレ検出部を停止させるように前記ブレ検出部を制御可能な制御部を有することを特徴とする撮影装置。
【請求項３】
請求項１に記載された撮影装置であって、
撮影者が操作可能な操作部と、
前記操作部の状態に基づいて、前記ブレ検出部を制御可能な制御部とを有することを特徴とする撮影装置。
【請求項４】
請求項１に記載された撮影装置であって、
前記画像を記憶する記憶部と、
前記ブレ検出部によりブレが検出されたとき、前記記憶部が前記画像を記憶しないように前記記憶部を制御可能な制御部とを有することを特徴とする撮影装置。
【請求項５】
請求項１から請求項４までの何れか１項に記載された撮影装置であって、
前記ブレ検出部によりブレが検出されたとき、警告を行う警告部を含むことを特徴とする撮影装置。
【請求項６】
請求項１から請求項５までの何れか１項に記載された撮影装置であって、
前記ブレ検出部によりブレが検出されたとき、シャッタスピード、絞り値、撮像素子の感度のうち、少なくとも１つを変更する撮影条件変更部を含むことを特徴とする撮影装置
【請求項７】
請求項１から請求項６までの何れか１項に記載された撮影装置であって、
前記装置の姿勢を検出する姿勢検出部を有し、
前記フォーカス調整部は、前記姿勢検出部の出力に基づいて前記フォーカス領域信号を出力することを特徴とする撮影装置。
【請求項８】
請求項１から請求項７までの何れか１項に記載された撮影装置であって、
前記撮像部により撮像された前記画像の前記フォーカスが合った領域を拡大して表示可能な表示部を含むことを特徴とする撮影装置。
【請求項９】
請求項１から請求項８までの何れか１項に記載された撮影装置であって、
前記撮像部により撮像された前記画像と、前記フォーカス領域信号とを対応させて出力可能な出力部を含むことを特徴とする撮影装置。
【発明の詳細な説明】
【技術分野】
【０００１】
本発明は、撮影装置に関する。
【背景技術】
【０００２】
デジタルカメラのモニタに表示させるスルー画像（ライブビュー画像）において、スルー画像のフォーカス位置に相当する画像部分を拡大して表示することにより、ピントのずれを撮影者がカメラのモニタにて確認できる技術が提案されている（特許文献１参照）。
【０００３】
従来では、スルー画像をカメラのモニタに拡大表示させて、撮影者がそれに対して目視でピントのずれを確認することができる。しかしながら、撮影者が撮影画像のブレのチェックを簡単に行うことはできない。また、撮影後に再生ボタンの操作等により撮影画像を拡大表示させることでピントのずれによるフォーカスミスのチェックをすることができるが、その時に厳密な撮影画像の手ブレによる画像のブレを確認することは容易ではない。
【０００４】
さらに、写真に関する知識に乏しい撮影者は、撮影画像がフォーカスミスなのか、手ブレによるミスなのか、判断するのが難しく、撮影者が撮影画像のブレによる撮影の失敗を自覚することなく、撮影チャンスを逃してしまうことがあった。
【特許文献１】特開平１１−１９６３０１号公報
【発明の開示】
【発明が解決しようとする課題】
【０００５】
本発明は、このような実状に鑑みてなされ、その目的は、好適な撮影を実現し得る撮影装置を提供することである。
【課題を解決するための手段】
【０００６】
上記目的を達成するために、本発明に係る撮影装置は、
撮影光学系のフォーカスを調整し、フォーカスが合った領域に対応するフォーカス領域信号を出力するフォーカス調整部（６）と、
前記フォーカス調整部（６）によりフォーカスが調整された前記撮影光学系による画像を撮像する撮像部（２）と、
前記フォーカス領域信号を用いて、前記画像の前記フォーカスが合った領域のブレを検出するブレ検出部（７，Ｓ１２）とを有する。
【０００７】
本発明の撮影装置では、フォーカス領域信号を用いて、画像のフォーカスが合った領域のブレを、ブレ検出部（７，Ｓ１２）により検出する。すなわち、画像のフォーカスが合った領域のみの画像データによって画像のブレを判断する。その画像にブレが生じている時は、フォーカスではなく手ブレによる画像のブレと判断することができる。したがって、本発明では、効率的かつ確実にブレを検出することが可能になり、撮影者がフォーカスミスではなく手ブレによるミスを容易に自覚することが可能となる。
【０００８】
撮影装置は、前記撮像部（２）が連写により複数枚の前記画像を撮像する連写モードで動作しているとき、前記ブレ検出部（７，Ｓ１２）を停止させるように前記ブレ検出部（７，Ｓ１２）を制御可能な制御部（７）を有してもよい。連写モードで撮影中にブレ検出部（７，Ｓ１２）が作動しないことにより、ブレ検出によって撮影が中断されることなく、連写を優先した撮影が可能となる。
【０００９】
撮影装置は、撮影者が操作可能な操作部（１８）と、前記操作部（１８）の状態に基づいて、前記ブレ検出部（７，Ｓ１２）を制御可能な制御部（７）とを有してもよい。カメラ本体に設置された操作部（１８）の操作により、容易にブレ検出部（７，Ｓ１２）を制御することが可能になる。
【００１０】
撮影装置は、前記画像を記憶する記憶部（１９）と、前記ブレ検出部（７，Ｓ１２）によりブレが検出されたとき、前記記憶部（１９）が前記画像を記憶しないように前記記憶部（１９）を制御可能な制御部（７）とを有してもよい。ブレが検出された画像を記憶しないように制御することにより、撮影者がブレによる撮影の失敗を自覚し、さらにブレ画像を削除操作する手間を省くことができる。
【００１１】
撮影装置は、前記ブレ検出部（７，Ｓ１２）によりブレが検出されたとき、警告を行う警告部（７，Ｓ１３）を含んでもよい。撮影者に警告が行われることで、撮影者がブレによる撮影の失敗を容易に自覚することができる。
【００１２】
撮影装置は、前記ブレ検出部（７，Ｓ１２）によりブレが検出されたとき、シャッタスピード、絞り値、撮像素子の感度のうち、少なくとも１つを変更する撮影条件変更部（７，Ｓ１３）を含んでもよい。ブレを低減させるような撮影条件に自動的に変更させることで、次にシャッタを切った時に、ブレによる撮影の失敗を防ぐ確率が高まる。
【００１３】
撮影装置は、前記装置の姿勢を検出する姿勢検出部（３０）を有し、前記フォーカス調整部（６）は、前記姿勢検出部（３０）の出力に基づいて前記フォーカス領域信号を出力してもよい。これにより、たとえばフォーカスロックを用いて撮影した場合に、一旦フォーカスを設定した領域を移動させたとしても、姿勢検出部（３０）にて検出されたフォーカス領域を記憶手段が記憶しているため、フォーカス領域の移動を考慮したブレ検出を行うことができる。
【００１４】
撮影装置は、前記撮像部（２）により撮像された前記画像の前記フォーカスが合った領域を拡大して表示可能な表示部（１７）を含んでもよい。フォーカスの合った領域がカメラのモニタに拡大表示されるので、撮影者が被写体のブレのチェックをすることが容易である。
【００１５】
撮影装置は、前記撮像部（２）により撮像された前記画像と、前記フォーカス領域信号とを対応させて出力可能な出力部（１７，１９）を含んでもよい。これにより、撮影画像に対して、フォーカスが合った領域を容易に比較することができる。
【００１６】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は本発明の実施形態に係るカメラの概略断面図、
図２は図１に示す制御回路の制御の一例を示すフローチャート、
図３は図２の続きのステップを示す制御のフローチャート、
図４は撮影後にモニタに表示される撮影画像の一例を示す概略図、
図５（Ａ）〜図５（Ｃ）は図４に示すフォーカス領域内のエッジ相当部分を抽出して手ブレを検出する場合の説明図である。
【００１８】
まず、図１に基づき、本発明の一実施形態のカメラの全体構成について説明する。以下の説明では、レンズ鏡筒２０とカメラボディ１とが着脱自在となるデジタル一眼レフカメラについて説明する。図１に示すように、カメラボディ１には、レンズ鏡筒２０が着脱自在に装着される。
【００１９】
なお、レンズ鏡筒２０とカメラボディ１とが一体であるカメラもあり、本発明では、カメラの種類は特に限定されない。また、本発明の撮影装置は、デジタル一眼レフカメラに限らず、ビデオカメラ、顕微鏡、携帯電話などの光学機器にも適用できる。
【００２０】
図１に示すように、カメラボディ１は、撮像素子２、シャッタ部材３、焦点検出光学系４、焦点検出センサ５、焦点検出演算回路６、カメラ制御回路７、駆動回路８、記憶手段１９、メインミラー９、サブミラー１０、ファインダスクリーン１１、ファインダＬＣＤ１２、ペンタプリズム１３、測光レンズ１４、測光センサ１５、接眼レンズ１６、モニタ１７および操作部材１８などを備えている。
【００２１】
レンズ鏡筒２０は、フォーカシングレンズ２１、ズーミングレンズ２２、絞り２４、レンズメモリ２６などを有している。なお、図１ではフォーカシングレンズ２１とズーミングレンズ２２を一つの撮影レンズ２３で代表して表している。フォーカシングレンズ２１はアクチュエータ２５により光軸方向に駆動され、撮影レンズ２３の焦点調節を行うレンズである。
【００２２】
ズーミングレンズ２２はアクチュエータ２５により光軸方向に駆動され、撮影レンズ２３の焦点距離を変えるレンズである。絞り２４はアクチュエータ２５によって駆動されて絞り開口径を変化させる。アクチュエータ２５は、レンズ鏡筒２０に内蔵されるが、カメラボディ１に内蔵されても良い。
【００２３】
レンズメモリ２６には、撮影レンズ２３の開放Ｆ値や焦点距離などの撮影光学系に関する情報が記憶されている。これらの情報は、制御回路７によって読み込まれ、撮影条件の制御に反映される。
【００２４】
レンズ鏡筒２０の光軸方向に対して、カメラボディ１の内部において、撮像素子２の前方には、シャッタ部材３が配置してある。シャッタ部材３の光軸方向前方には、メインミラー９およびサブミラー１０が配置してある。さらにその光軸方向の前方には、レンズ鏡筒２０に内蔵してある絞り部２４および光学レンズ群２３が配置してある。
【００２５】
撮像素子２は、ＣＣＤやＣＭＯＳ等によって構成されるが、レンズ鏡筒２０内の撮影レンズ２３によって結像した被写体像を電気信号に変換して出力する。シャッタ３は、図示しないレリーズボタンの全押し時、すなわちシャッタレリーズ時に、露出演算の結果導き出されたシャッタ速度の時間だけ開放され、撮像素子２が露光される。焦点検出光学系４、焦点検出センサ５および焦点検出演算回路６は位相差検出方式の焦点検出装置を構成し、撮影レンズの焦点調節状態を示すデフォーカス量を検出する。
【００２６】
制御回路７はＣＰＵであり、測光、焦点検出、撮影などの制御や、露出演算などの演算制御を行う。駆動回路８は、アクチュエータ２５を駆動制御する。ファインダＬＣＤ１２は、ファインダスクリーン１１上の被写体像に焦点領域を重ねて表示するとともに、被写体像の外側にシャッタ速度、絞り値などの撮影情報を表示する。測光センサ１５は、撮影画面を複数の領域に分割して各領域ごとの輝度に応じた測光信号を出力する。
【００２７】
記憶手段１９は、制御回路７からの命令に基づき、撮影画像およびフォーカス領域情報を記憶すると共に、情報を読み出し可能になっている。記憶手段は、カメラボディ１に内蔵してある内部メモリであっても良いし、カメラボディ１に対して着脱自在なメモリであっても良い。着脱自在なメモリとしては、コンパクトフラッシュカードやＳＤカード等さまざまなタイプがあるが、特に限定されるものではない。
【００２８】
モニタ１７はカメラボディ１の背面に設けられ、主として液晶表示装置などで構成される。撮影画像やメニューなどを表示したり、後述するように撮影画像のフォーカス領域の拡大像を表示したり、ブレ検出によりブレが検出された場合に、手ブレ警告などを表示する。
【００２９】
カメラボディ１には、撮影者が操作する操作部材１８が配置される。操作部材１８には、レリーズボタンの半押し時にオンするレリーズ半押しスイッチ、レリーズボタンの全押し時にオンするレリーズ全押しスイッチ、焦点領域の移動を行うための焦点領域移動スイッチ、モニタ１７に表示される被写体像を任意の倍率で拡大または縮小するための画像拡大縮小スイッチ、ブレ確認モードＯＮ／ＯＦＦスイッチおよび手ブレ警告解除スイッチ、焦点検出センサ５の出力を用いた位相差検出方式ＡＦを実行するための位相差ＡＦスイッチなどが含まれる。また、操作部材にブレ確認モードＯＮ／ＯＦＦスイッチを設置することにより、撮影条件に応じて容易にブレ確認モードのＯＮ／ＯＦＦの切り替えを行うことができる。
【００３０】
メインミラー９は、構図決定の際にファインダに像を映し出すためのもので、露光中は光路から退避する。制御回路７からレリーズスイッチの情報が入力され、レリーズボタン全押し時にミラーアップ、露光終了後にミラーダウンを行う。メインミラー９は、図示しないミラー駆動部（例えばＤＣモータ）により駆動される。メインミラー９には、サブミラー１０が連結してある。
【００３１】
サブミラー１０は、焦点検出光学系４に光を送るためのミラーであり、メインミラー９を通過した光束を反射して焦点検出光学系４に導く。このサブミラー１０は、メインミラー９と同様に露光中は光路から退避する。
【００３２】
露光時以外は、基本的にはメインミラー９とサブミラー１０は、図１に示すように撮影光路中に置かれる。このとき、撮影レンズ２３を透過した被写体からの光の一部は、メインミラー９に反射されてファインダスクリーン１１へ導かれ、ファインダスクリーン１１上に被写体像を結像する。
【００３３】
この被写体像は、ペンタプリズム１３と接眼レンズ１６を介して撮影者の目へ導かれるとともに、ペンタプリズム１３と測光用レンズ１４を介して測光用センサ１５へ導かれる。制御回路７は、測光用センサ１５から出力される測光領域ごとの測光信号に基づいて露出演算を行い、撮影画面の輝度に応じたシャッタ速度と絞り値を算出する。
【００３４】
一方、前述したようにサブミラー１０により反射された光は、焦点検出光学系４を介して焦点検出センサ５へ導かれる。本実施形態では撮影画面内の複数の位置に焦点領域が設定されており、焦点検出センサ５は、各焦点領域ごとに撮影レンズ２３の焦点調節状態を示す焦点検出信号を出力する。焦点検出演算回路６は、各焦点検出エリアごとの焦点検出信号に基づいて撮影レンズ２３の焦点調節状態を示すデフォーカス量を算出する。制御回路７はデフォーカス量に基づいてレンズ駆動量を算出し、駆動回路８によりアクチュエータ２５を駆動してフォーカシングレンズ２１を合焦駆動する。
【００３５】
次に、図１に示す制御回路７によるブレ検出制御を、図２および図３に示すフローチャートを用いて説明する。
【００３６】
図２はフォーカスロック機能を用いて撮影する場合のフローチャートである。この場合、撮影中にフォーカス領域が移動してしまうので、下記のように制御される。図２に示すように、ステップＳ１にて、カメラの電源を投入し、図１に示す制御回路７が、レリーズボタンの半押し信号、またはフォーカスロックボタンの入力信号を受信すると、フォーカスロックを有効（ＯＮ）にする（ステップＳ２）。
【００３７】
次に、図１に示す制御回路７は、フォーカスロックが成されたフォーカス領域のデータを、焦点検出演算回路６から受け取り、その情報を図１に示す記憶手段１９に記憶する（ステップＳ３）。また、図１に示す制御回路７は、フォーカスロックが成された撮影光軸角度Ａを、図１に示す記憶手段１９に保存する（Ｓ４）。
【００３８】
撮影光軸角度Ａは、たとえばカメラボディ１に内蔵された姿勢検出部３０により検出することができる。姿勢検出部３０は、たとえば方位センサ、加速度センサ、などで構成される。また、姿勢検出部３０は、手ブレ量測定用のセンサで共用されても良い。
【００３９】
次に、図１に示す制御回路７がレリーズスイッチのＯＮ信号を受信する（ステップＳ５）と、ステップＳ６にて、前述したようなミラーアップによる撮影処理を行う。その後に、図１に示す制御回路７は、図２に示すステップＳ７に示すように、撮影時の撮影光軸角度Ｂのデータを、図１に示す姿勢検出部３０から受け取り、ステップＳ８にて、光軸角度Ａが光軸角度Ｂに一致するか否かを判断する。
【００４０】
これらが一致している場合には、フォーカスロック後から撮影時まで、フォーカス領域が移動していないことを示し、その場合には、図３に示すステップＳ１１に行く。また、図２に示すステップＳ８にて、制御回路７が、Ａ＝Ｂでないと判断した場合には、フォーカスロックしてからフォーカス領域が移動している場合と考えられ、その場合には、図２に示すステップＳ９にて、制御回路７は、フォーカス領域がどれくらい移動したかを演算する。その後に、制御回路７は、図２に示すステップＳ１０にて、演算後のフォーカス領域のデータを、ステップＳ３にて記録されたフォーカス領域のデータに上書きして記憶手段１９に記憶させる。
【００４１】
その後に、制御回路７は、図３に示すステップＳ１１にて、フォーカス領域に位置する画像データの分析を行う。フォーカス領域に位置する画像データとは、ステップＳ８にてＡ＝Ｂと判断された場合には、ステップＳ３にて記憶されたフォーカス領域のデータであり、ステップＳ８にてＡ＝Ｂでないと判断された場合には、ステップＳ１０にて上書きされたフォーカス領域のデータである。
【００４２】
このフォーカス領域のデータは、画像のフォーカスが合った領域のみ画像データであるといえる。そのデータに基づき、制御回路７は、ステップＳ１２にて、像ブレの判断を行う。たとえばフォーカス領域のデータが、図４に示すフォーカス領域枠４０のデータであるとする。その画像データに基づき、コントラストやエッジに相当する部分を抽出する。例えば、図５（Ａ）に示すように、たとえば被写体が人物の場合には、顔の輪郭など、画像のエッジに相当する部分のデータを抽出する。
【００４３】
次に、図５（Ｂ）に示すように、抽出したデータを数値化してグラフにする。オートフォーカス（ＡＦ）が正常に動作しピントが合っていて、ブレが無い場合には、図５（Ｂ）に示すような白黒２値のパターンになり、エッジが検出される。このような場合には、手ブレ画像ではないとして、その全体の画像データを、図１に示す記憶手段１９に保存した後に、図３に示すステップＳ１９にて動作が終了する。
【００４４】
しかし、ＡＦが正常に動作しピントが合っているにも関わらず、撮影画像がブレている場合には、図５（Ｃ）に示すように、画像のエッジ部がなだらかにグラフ化される。このような場合には、手ブレが起きている可能性が極めて高い。そこで、そのような場合には、図１に示す制御回路７は、像ブレとして検出し、図３に示すステップＳ１２からステップＳ１３に行き、ブレ警告処理を行う。
【００４５】
ブレ警告処理では、たとえば図１に示す制御回路７は、モニタ１７に手ぶれが生じた画像であるなどの警告表示を行う。あるいは、制御回路７は、図示しないブザーなどに制御信号を送り、警告音を生じさせ、操作者にブレ画像であることを知らせても良い。
【００４６】
また、制御回路７は、ステップＳ１４にて、操作者からのブレ確認モードの選択信号が入力されたかを判断し、その選択信号を検出した場合には、ステップＳ１５にてフォーカス領域の拡大処理を行い、ステップＳ１７にて、フォーカス領域の拡大画像を、モニタ１７に表示する。なお、モニタ１７には、通常の撮影画像と共に、フォーカス領域の拡大画像を、マルチウィンドウ形式でモニタ１７に表示してもよい。
【００４７】
その後に、図１に示す制御回路７は、操作者からの警告解除命令信号を待ち、その信号を検知した場合には、ブレが検出された撮影画像を保存するか否かに関して、操作者に確かめるための表示を、モニタ１７に表示させる。保存する旨の信号を図１に示す制御回路７が受けた場合には、図１に示す記憶手段１９に撮影画像を記憶させる。保存しない旨の信号を図１に示す制御回路７が受けた場合には、ブレが生じた撮影画像を保存することなく、ステップＳ１９にて制御を終了する。
【００４８】
図３に示すステップＳ１４にて、図１に示す制御回路７がブレ確認モードの入力信号を受け取らなかった場合には、ステップＳ１６にて、通常のプレビュー確認モードを制御回路７が実行し、操作者からのプレビュー確認入力信号を受けて、ステップＳ１７にて、撮影画像の表示を行う。ステップＳ１８以降の処理は、前述したとおりである。
【００４９】
なお、操作者からのブレ確認モードの選択信号およびプレビュー確認入力信号は、図１に示すカメラボディ１に設けられた操作部材１８などの専用のスイッチからの入力信号でもよく、あるいは、タッチパネル式のモニタ１７からの入力信号でも良い。
【００５０】
本実施形態のカメラでは、図３に示すステップＳ１２にて、図１に示す制御回路７は、フォーカス領域信号を用いて、画像のフォーカスが合った領域のブレを、検出する。すなわち、画像のフォーカスが合った領域のみの画像データによって画像のブレを判断する。その画像にブレが生じている時は、フォーカスではなく手ブレによる画像のブレと判断することができる。したがって、本実施形態では、効率的かつ確実にブレを検出することが可能になり、撮影者がフォーカスミスではなく手ブレによるミスを容易に自覚することが可能となる。
【００５１】
また、本実施形態では、上述のようなフォーカス領域情報が撮影画像に含まれているので、カメラ本体１のモニタ１７での再生時だけでなく、撮影画像をパソコン等に取り込んで閲覧ソフト等を使用して再生閲覧する場合にも、撮影画像にフォーカス位置が重ねて表示されるようにしてもよい。これにより、他の撮影情報と合わせ、撮影後に作品である撮影画像を見直すことが容易になり、撮影技術の上達を手助けすることができる。
【００５２】
なお、本発明は、上述した実施形態に限定されるものではなく、本発明の範囲内で種々に改変することができる。
【００５３】
たとえば、フォーカス調整部である焦点検出演算回路６は、フォーカスが合った複数の領域に対応する複数のフォーカス領域信号を出力するものであっても良い。例えば、フォーカスが合った複数の領域のうち、少なくとも１つが合焦していれば、その１つのフォーカス領域情報を用いて図５（Ａ）〜図５（Ｃ）に示すような処理を経て、ブレがないという判定をしてもよい。
【００５４】
またたとえば、図５に示すようにグラフ化するエッジ検出手段を例に挙げたが、撮影画像のフォーカス領域のデータを利用してブレを判断するものであれば、これに限定されるものではない。
【００５５】
さらに、図３のステップＳ１３におけるブレ警告処理は、図１に示す操作部材１８からの連写モード選択信号、警告解除選択信号などが入力されていることを制御回路７が検出した場合には、必要に応じてブレ検出手段が解除されてもよい。例えば、複数枚の画像を連写モードで撮影する場合に、ブレ検出によって撮影が中断されてしまうと都合が悪い場合や、撮影の上級者が、好みによりブレ検出手段を解除したい場合などである。
【００５６】
警告解除命令の入力は操作部材１８からの入力であっても良いし、モニタ１７のメニュー表示による入力操作であってもよい。また、これに限定されるものではなく、例えばマイクが内蔵されたカメラであれば、マイクを利用した音声入力であってもよい。
【００５７】
図１に示す操作部材１８に含まれる撮影条件変更部によってシャッタスピード、絞り値、撮像素子などの感度を変更することができるが、図３に示すステップＳ１２においてブレが検出された場合に、図１に示す制御回路７は、ステップＳ１３にて、上記シャッタスピード、絞り値、撮像素子などの感度のうち、少なくとも１つを自動的に変更させるようにしてもよい。ブレを低減させるような撮影条件に自動的に変更させることで、次にシャッタを切った時に、ブレによる撮影の失敗を防ぐ確率が高まる。ブレを低減させるような撮影条件とは、シャッタスピードを上げる、絞りを開放する、感度を上げる等である。
【図面の簡単な説明】
【００５８】
【図１】図１は本発明の実施形態に係るカメラの概略断面図である。
【図２】図２は図１に示す制御回路の制御の一例を示すフローチャートである。
【図３】図３は図２の続きのステップを示す制御のフローチャートである。
【図４】図４は撮影後にモニタに表示される撮影画像の一例を示す概略図である。
【図５】図５（Ａ）〜図５（Ｃ）は図４に示すフォーカス領域内のエッジ相当部分を抽出して手ブレを検出する場合の説明図である。
【符号の説明】
【００５９】
１…カメラボディ
２…撮像素子
３…シャッタ
４…焦点検出光学系
５…焦点検出センサ
６…焦点検出演算回路
７…制御回路
８…駆動回路
１７…モニタ
１８…操作部材
１９…記憶手段
２０…レンズ鏡筒
４０…フォーカス領域枠
【図１】
2010061012.tif 000003
【図２】
2010061012.tif 000004
【図３】
2010061012.tif 000005
【図４】
2010061012.tif 000006
【図５】
2010061012.tif 000007